(57)【特許請求の範囲】
【請求項１】
上面に貯水用凹陥部が形成された本体部分および該本体部分から下方へ突出する複数の支持脚部からなる容器と、この容器の貯水用凹陥部に収容された保水性ブロックと、を備えてなる冷却ユニットであって、
上記各支持脚部が、上記本体部分の下面各辺に形成されており、
上記本体部分の各角隅部に、面取り部が形成されており、
上記本体部分の下方空間と外部空間とが、上記各面取り部の下方における上記各支持脚部相互間に位置する隙間を介して連通するように構成されている、ことを特徴とする冷却ユニット。
【請求項２】
上面に貯水用凹陥部が形成された本体部分および該本体部分から下方へ突出する複数の支持脚部からなる支柱部材と、この支柱部材の周面部の複数箇所において該支柱部材に支持されるとともに上面に貯水用凹陥部が形成された複数の棚状部材と、を備えてなることを特徴とする冷却ユニット。
【請求項３】
上記複数の棚状部材のうち少なくとも一部の棚状部材が、互いに高さ違いでかつ平面視において部分的に重複するように配置されている、ことを特徴とする請求項２記載の冷却ユニット。
【請求項４】
上記複数の棚状部材のうち少なくとも一部の棚状部材が、上記支柱部材に対して着脱可能に支持されている、ことを特徴とする請求項２または３記載の冷却ユニット。
【請求項５】
建物の屋外スラブに設けられる冷却構造であって、
上記屋外スラブの上面に、請求項１〜４いずれか記載の冷却ユニットが複数個配置されてなる、ことを特徴とする建物の冷却構造。
【発明の詳細な説明】
【０００１】
【発明の属する技術分野】
本願発明は、冷却ユニットおよびこれを用いた建物の冷却構造に関するものである。
【０００２】
【従来の技術】
マンションやオフィスビル等の建物においては、その屋上スラブへの日射により、屋上空間や階下（最上階）の室内空間が高温になりやすい。
【０００３】
これに対し、特開平８−８５９０７号公報に開示されているような保水性舗装ブロック（すなわち、透水性の舗装ブロック本体をプラスチック製の容器状保水タンクで支持するとともに、舗装ブロック本体から容器状保水タンク内に不織布を垂下させたもの）を屋上スラブに複数個配置するようにすれば、これら保水性舗装ブロックにより屋上スラブへの直射日光の照射を防止することができ、また各透水性ブロックからの水の蒸発による気化潜熱で屋上スラブの上面近傍の空気を冷却することが可能となる。
【０００４】
【発明が解決しようとする課題】
しかしながら、このような保水性舗装ブロックを用いた冷却構造においては、容器状保水タンクの底面がその全域にわたって屋上スラブと接触しているため、次のような問題がある。
【０００５】
すなわち、各透水性ブロックからの水の蒸発による気化潜熱で屋上スラブの上面近傍の空気を冷却しても、屋上スラブの容器状保水タンクが載置されている部分に関しては、冷却された空気を接触させることができないので、屋上スラブを効果的に冷却することができないという問題がある。特に、屋上スラブへの直射日光の照射防止を図るためには、保水性舗装ブロックをできるだけ近づけて配置することが好ましいが、このように配置した場合、冷却された空気と屋上スラブとの接触面積が非常に小さくなるため、屋上スラブをほどんど冷却することができなくなってしまうという問題がある。
【０００６】
さらに、容器状保水タンクの水がすべて蒸発してしまった後は、全く冷却機能を発揮することができなくなってしまうという問題もある。
【０００７】
本願発明は、このような事情に鑑みてなされたものであって、屋外スラブを効率的かつ安定的に冷却することができる冷却ユニットおよび建物の冷却構造を提供することを目的とするものである。
【０００８】
【課題を解決するための手段】
本願発明は、所定構造の冷却ユニットを用いることにより、上記目的達成を図るようにしたものである。
【０００９】
すなわち、本願第１の発明に係る冷却ユニットは、
上面に貯水用凹陥部が形成された本体部分および該本体部分から下方へ突出する複数の支持脚部からなる容器と、この容器の貯水用凹陥部に収容された保水性ブロックと、を備えてなる冷却ユニットであって、
上記各支持脚部が、上記本体部分の下面各辺に形成されており、
上記本体部分の各角隅部に、面取り部が形成されており、
上記本体部分の下方空間と外部空間とが、上記各面取り部の下方における上記各支持脚部相互間に位置する隙間を介して連通するように構成されている、ことを特徴とするものである。
【００１０】
上記「容器」の材質は特に限定されるものではなく、例えば、コンクリート製、プラスチック製、金属製、セラミックス製等が採用可能である。
【００１１】
上記「貯水用凹陥部」は、貯水可能でかつ保水性ブロックを収容し得るものであれば、その具体的形状等は特に限定されるものではない。
【００１２】
上記「複数の支持脚部」は、本体部分から下方へ突出するものであれば、その形状、形成本数等の具体的構成は特に限定されるものではない。
【００１３】
上記「保水性ブロック」とは、その組織内部に体積の５０％以上の体積の水を保持可能なブロックを意味するものであって、その材質、形状等の具体的構成は特に限定されるものではない。
【００１４】
一方、本願第２の発明に係る冷却ユニットは、
上面に貯水用凹陥部が形成された本体部分および該本体部分から下方へ突出する複数の支持脚部からなる支柱部材と、この支柱部材の周面部の複数箇所において該支柱部材に支持されるとともに上面に貯水用凹陥部が形成された複数の棚状部材と、を備えてなることを特徴とするものである。
【００１５】
上記「貯水用凹陥部」は、貯水可能なものであれば、その具体的形状等は特に限定されるものではない。
【００１６】
上記「複数の支持脚部」は、本体部分から下方へ突出するものであれば、その形状、形成本数等の具体的構成は特に限定されるものではない。
【００１７】
上記「支柱部材」は、その周面部に複数の棚状部材を支持可能で、かつこれら棚状部材を支持した状態で自立可能なものであれば、その具体的形状は特に限定されるものはなく、例えば、角錐、円錐、角柱、円柱等の形状が採用可能であり、その際、中実、中空いずれの構造も採用可能である。
【００１８】
上記各「棚状部材」についても、その形状、形成枚数、配置等の具体的構成は特に限定されるものではない。また、これら各「棚状部材」に対する支柱部材の支持構造についても特に限定されるものではなく、支柱部材の周面部に棚状部材を係合させて支持するもの、支柱部材の周面部に形成された挿入孔に棚状部材を挿入して支持するもの、支柱部材の周面部に所定の固定具で棚状部材を固定して支持するもの等が採用可能である。
【００１９】
上記「支柱部材」および各「棚状部材」の材質は特に限定されるものではなく、例えば、コンクリート製、プラスチック製、金属製、セラミックス製等が採用可能である。
【００２０】
さらに、本願発明に係る建物の冷却構造は、
建物の屋外スラブに設けられる冷却構造であって、
上記屋外スラブの上面に、本願第１または第２の発明に係る冷却ユニットが複数個配置されてなる、ことを特徴とするものである。
【００２１】
上記「屋外スラブ」とは、少なくともその上面が屋外に暴露されるスラブを意味するものであって、屋上スラブがこれに含まれることはもちろんであるが、ルーフバルコニーや通常のバルコニーを構成するスラブ等もこれに含まれる。
【００２２】
上記複数個の冷却ユニットの屋外スラブの上面における「配置」の具体的方法は特に限定されるものではなく、屋外スラブの種類、広さ、輪郭形状等に応じて適宜設定すればよい。
【００２３】
【発明の作用効果】
上記構成に示すように、本願第１の発明に係る冷却ユニットは、上面に貯水用凹陥部が形成された本体部分および該本体部分から下方へ突出する複数の支持脚部からなる容器と、この容器の貯水用凹陥部に収容された保水性ブロックとを備えた構成となっているので、これを屋外スラブの上面に複数個配置することにより、次のような作用効果を得ることができる。
【００２４】
すなわち、各冷却ユニットの容器には、その本体部分から下方へ突出する複数の支持脚部が形成されているので、本体部分と屋外スラブとの間には通風空間が形成されることとなる。このため、屋外スラブへの日照を遮った状態で通風による空冷作用で屋外スラブを冷却することができる。
【００２５】
また、屋外スラブに降水（降雨または散水）があると、各冷却ユニットの容器の貯水用凹陥部に水が溜まり、同時に各冷却ユニットの保水性ブロックにも水が保持される。その後、日照等により各保水性ブロックの表面温度が上がると、該保水性ブロックに保持された水がその表面から蒸発し、この蒸発の際の気化潜熱により屋外スラブの上面近傍の空気が冷却される。この冷却された空気は相対的に重いので下降して上記通風空間に流れ込み、これにより屋外スラブが一層効率的に冷却される。
【００２６】
その際、各保水性ブロックの表面で蒸発した水分は、毛細管現象により貯水用凹陥部の貯留水から順次供給されるので、長時間にわたって高効率の冷却作用を維持することができる。
【００２７】
一方、本願第２の発明に係る冷却ユニットは、上面に貯水用凹陥部が形成された本体部分および該本体部分から下方へ突出する複数の支持脚部からなる支柱部材と、この支柱部材の周面部の複数箇所において該支柱部材に支持されるとともに上面に貯水用凹陥部が形成された複数の棚状部材とを備えた構成となっているので、これを屋外スラブの上面に複数個配置することにより、次のような作用効果を得ることができる。
【００２８】
すなわち、各冷却ユニットの支柱部材には、その本体部分から下方へ突出する複数の支持脚部が形成されているので、本体部分と屋外スラブとの間および棚状部材と屋外スラブとの間には通風空間が形成されることとなる。このため、屋外スラブへの日照を遮った状態で通風による空冷作用で屋外スラブを冷却することができる。
【００２９】
また、屋外スラブに降水（降雨または散水）があると、各冷却ユニットの各貯水用凹陥部に水が溜まる。その後、日照等により各貯水用凹陥部に溜まった水が蒸発し、この蒸発の際の気化潜熱により屋外スラブの上面近傍の空気が冷却される。この冷却された空気は相対的に重いので下降して上記通風空間に流れ込み、これにより屋外スラブが一層効率的に冷却される。
【００３０】
その際、貯水用凹陥部は、各冷却ユニットにおける支柱部材および複数の棚状部材の各々に形成されているので、冷却効率を十分に高めることができる。
【００３１】
このように本願発明に係る冷却ユニットは、遮光および通風による屋外スラブの冷却作用を常に維持した上で、貯水用凹陥部に水が溜まっている状態では、その気化潜熱により屋外スラブの冷却作用を一層高めることができる。
【００３２】
したがって本願発明によれば、屋外スラブを効率的かつ安定的に冷却することができ、これにより屋外スラブの下方空間の冷却を十分に行うことができる。
【００３３】
特に、本願発明に係る冷却ユニットを、断熱性能が劣る既存の建物の屋外スラブの上面に配置することにより、その熱環境を大幅に改善することができる。
【００３４】
本願第２の発明に係る冷却ユニットにおいて、複数の棚状部材の配置等が特に限定されないことは上述したとおりであるが、これら複数の棚状部材のうち少なくとも一部の棚状部材が、互いに高さ違いでかつ平面視において部分的に重複するように配置された構成とすれば、次のような作用効果を得ることができる。
【００３５】
すなわち、棚状部材の貯水用凹陥部の開口面積を広く確保することができるので、該貯水用凹陥部に溜まった水の蒸発量を増大させることができ、これにより冷却効率を一層高めることができる。また、屋外スラブへの日照をより効果的に遮ることができるので、この点においても冷却効率を高めることができる。
【００３６】
また、各棚状部材の支柱部材に対する支持は、各棚状部材を支柱部材と一体的に形成すること等により行われる構成としてもよいが、複数の棚状部材のうち少なくとも一部の棚状部材が支柱部材に対して着脱可能に支持された構成とすれば、次のような作用効果を得ることができる。
【００３７】
すなわち、棚状部材を適宜取り外すことにより、屋外スラブの輪郭形状等に応じた冷却ユニットの配置を容易に実現することができる。また、既存の建物において、冷却ユニットを屋上等へ運搬する際、棚状部材を適宜取り外すことにより、エレベータ等を利用した運搬を容易に行うことができる。
【００３８】
【発明の実施の形態】
以下、図面を用いて、本願発明の実施形態について説明する。
【００３９】
まず、本願発明の第１実施形態について説明する。
【００４０】
図１は、本実施形態に係る冷却ユニットを分解して示す斜視図であり、図２は、この冷却ユニットを備えた建物の冷却構造を示す側断面図および平面図である。
【００４１】
これらの図に示すように、本実施形態に係る建物の冷却構造は、鉄筋コンクリート造の既存の建物の屋上スラブ１０（屋外スラブ）に設けられる冷却構造であって、屋上スラブ１０の上面に複数の冷却ユニット２０が縦横に互いに密接した状態で敷き詰められてなっている。
【００４２】
図１に示すように、各冷却ユニット２０は、上面に貯水用凹陥部２２ａが形成された本体部分２２ｂおよび該本体部分２２ｂから下方へ突出する複数（４本）の支持脚部２２ｃからなるコンクリート製の容器２２と、この容器２２の貯水用凹陥部２２ａに収容された保水性ブロック２４とからなっている。
【００４３】
容器２２の本体部分２２ｂは、四隅に面取り部２２ｄを有する枡形に形成されており、貯水用凹陥部２２ａは略直方体形状に形成されている。支持脚部２２ｃは、本体部分２２ｂの下面各辺に各々形成されている。そしてこれにより、各面取り部２２ｄの下方に位置する四隅の隙間２６を介して、本体部分２２ｂの下方空間２８と外部空間とを連通させるようになっている。
【００４４】
保水性ブロック２４は、貯水用凹陥部２２ａよりも僅かに小さい平面形状を有するとともに、貯水用凹陥部２２ａの深さよりもある程度大きい寸法の高さを有する略直方体形状に形成されており、その下面には複数の正方形のタイル状の突起部２４ａが格子状配置で形成されている。
【００４５】
この保水性ブロック２４は、ごみや下水汚泥等の焼却灰溶融スラグあるいは瓦、タイル、コンクリート等の建設廃材を細かく破砕してなる骨材に、無機質糊材および焼結バインダを添加して、プレス成形および焼成を行うことにより、製造されるようになっている。その際、骨材の平均粒径やプレス成形圧を適当な値に設定することにより、ミクロン単位の多数の空隙が互いに連通するように形成された空隙率５０％以上の（すなわち保水性ブロック２４の組織内部にその体積の５０％以上の体積の水を保持可能な）ブロックを得るようになっている。
【００４６】
図３に示すように、屋上スラブ１０の上面に敷き詰められた各冷却ユニット２０相互間には、菱形隙間３０が形成される。これら各菱形隙間３０は、４つの冷却ユニット２０の容器２２の面取り部２２ｄに囲まれた空間であって、これら各菱形隙間３０および該菱形隙間３０を囲む各面取り部２２ｄの下方の隙間２６を介して、各冷却ユニット２０の容器２２における本体部分１２ｃの下方空間２８と外部空間とを連通させるようになっている。
【００４７】
次に本実施形態の作用について説明する。
【００４８】
本実施形態に係る冷却ユニット２０は、上面に貯水用凹陥部２２ａが形成された本体部分２２ｂおよび該本体部分２２ｂから下方へ突出する複数の支持脚部２２ｃからなる容器２２と、この容器２２の貯水用凹陥部２２ａに収容された保水性ブロック２４とからなっているので、これを屋上スラブ１０の上面に複数個配置することにより、次のような作用効果を得ることができる。
【００４９】
すなわち、各冷却ユニット２０の容器２２には、その本体部分２２ｂから下方へ突出する複数の支持脚部２２ｃが形成されているので、本体部分２２ｂと屋上スラブ１０との間の本体部分１２ｃの下方空間２８を通風空間として形成することができる。このため、屋上スラブ１０への日照を遮った状態で通風による空冷作用で屋上スラブ１０を冷却することができる。
【００５０】
また、屋上スラブ１０に降水（降雨または散水）があると、各冷却ユニット２０の容器２２の貯水用凹陥部２２ａに水Ｗが溜まり、同時に各冷却ユニット２０の保水性ブロック２４にも水Ｗが保持される。その後、日照等により各保水性ブロック２４の表面温度が上がると、該保水性ブロック２４に保持された水Ｗがその表面から蒸発し、この蒸発の際の気化潜熱により屋上スラブ１０の上面近傍の空気が冷却される。この冷却された空気は相対的に重いので下降して本体部分２２ｂと屋上スラブ１０との間の通風空間に流れ込み、これにより屋上スラブ１０が一層効率的に冷却される。
【００５１】
その際、各保水性ブロック２４の表面で蒸発した水分は、毛細管現象により貯水用凹陥部２２ａの貯留水Ｗから順次供給されるので、長時間にわたって高効率の冷却作用を維持することができる。
【００５２】
このように本実施形態に係る冷却ユニットは、遮光および通風による屋上スラブ１０の冷却作用を常に維持した上で、貯水用凹陥部２２ａに水Ｗが溜まっている状態では、その気化潜熱により屋上スラブ１０の冷却作用を一層高めることができる。
【００５３】
したがって本実施形態によれば、屋上スラブ１０を効率的かつ安定的に冷却することができ、これにより屋上スラブ１０の下方空間の冷却を十分に行うことができる。
【００５４】
特に本実施形態においては、各冷却ユニット２０の容器２２の本体部分２２ｂの四隅に面取り部２２ｄが形成されており、支持脚部２２ｃが本体部分２２ｂの下面各辺に各々形成されているので、次のような作用効果を得ることができる。
【００５５】
すなわち、屋上スラブ１０の上面に複数の冷却ユニット２０が縦横に敷き詰められた状態で、各冷却ユニット２０相互間に菱形隙間３０が各々形成されるので、これら各菱形隙間３０および該菱形隙間３０を囲む各面取り部２２ｄの下方の隙間２６を介して、各冷却ユニット２０の容器２２における本体部分１２ｃの下方空間２８と外部空間とを確実に連通させることができる。そしてこれにより各冷却ユニット２０の下方空間２８を通風空間として極めて有効に活用することができる。
【００５６】
また本実施形態においては、各冷却ユニット２０の保水性ブロック２４の上面が平面状に形成されているので、屋上スラブ１０の上面における歩行を容易に可能とすることができる。
【００５７】
さらに本実施形態においては、各冷却ユニット２０の容器２２の本体部分２２ｂが複数の支持脚部２２ｃにより屋上スラブ１０から持ち上げられているので、屋上スラブ１０における各冷却ユニット２０の本体部分２２の下方部位が乾燥状態に維持される。このため、これら冷却ユニット２０を既存の建物の屋上スラブ１０に配置して水Ｗを溜めても、これが新たな漏水の原因となってしまうようなことはない。
【００５８】
なお、既存の建物の屋根面が不陸である場合には、各冷却ユニット２０を平面視において略三角形に形成するようにすれば、より安定した状態で敷き並べることが可能となる。
【００５９】
ところで本実施形態に係る冷却ユニット２０は、その容器２２がプラスチック等に比して熱容量の大きなコンクリートで構成されているので、その貯水用凹陥部２２ａの貯留水Ｗからの熱伝導により容器２２の冷却を図ることができ、これにより屋上スラブ１０の冷却作用を一層高めることができる。また、このように容器２２をコンクリート製とすることにより、ある程度の重量が確保されるので、屋上スラブ１０に配置しても風等により飛ばされてしまうのを防止することができる。
【００６０】
次に、本願発明の第２実施形態について説明する。
【００６１】
図４は、本実施形態に係る冷却ユニットを一部分解して示す斜視図であり、図５は、この冷却ユニットを示す平面図であり、図６は、この冷却ユニットの使用状態を示す斜視図である。また、図７は、この冷却ユニットを備えた建物の冷却構造を示す側断面図である。
【００６２】
これらの図に示すように、本実施形態に係る建物の冷却構造も、第１実施形態と同様、鉄筋コンクリート造の建物の屋上スラブ１０に設けられる冷却構造であって、屋上スラブ１０の上面に複数の冷却ユニット４０が縦横に互いに密接した状態で配置されてなっている。
【００６３】
各冷却ユニット４０は、上面に貯水用凹陥部４２ａが形成された本体部分４２ｂおよび該本体部分４２ｂから下方へ突出する複数（４本）の支持脚部４２ｃからなるコンクリート製の支柱部材４２と、この支柱部材４２の周面部の複数箇所において該支柱部材４２に支持されるとともに上面に貯水用凹陥部４４Ａａ、４４Ｂａが形成された複数のコンクリート製の棚状部材４４Ａ、４４Ｂとを備えた構成となっている。
【００６４】
支柱部材４２の本体部分４２ｂは角錐台状に形成されており、貯水用凹陥部４２ａは浅い直方体形状に形成されている。支持脚部２２ｃは本体部分４２ｂの下面の四隅に各々形成されている。そしてこれにより、各支持脚部２２ｃ相互間に形成される隙間４６を介して、本体部分４２ｂの下方空間４８と外部空間とを連通させるようになっている。
【００６５】
支柱部材４２の周面部４２ｄには、そのコーナ部を水平方向に跨ぐようにしてＬ字状のスリット４２ｅ１、４２ｅ２が形成されている。スリット４２ｅ１は、比較的高い位置において互いに対向する１対のコーナ部に各々形成されており、スリット４２ｅ２は、比較的低い位置において互いに対向する残り１対のコーナ部に各々形成されている。そして、棚状部材４４Ａは、その一部がスリット４２ｅ１に挿入されることにより支柱部材４２に支持され、棚状部材４４Ｂは、その一部がスリット４２ｅ２に挿入されることにより支柱部材４２に支持されている。
【００６６】
図４に示すように、棚状部材４４Ａは、正方形の一部が欠けた平面形状を有する底面部４４Ａｂと、この底面部４４Ａｂの外周形状に沿って全周にわたって上方へ立ち上がる周縁フランジ部４４Ａｃとからなり、これにより底面部４４Ａｂの上面の略全域において貯水用凹陥部４４Ａａを形成している。棚状部材４４Ａの周縁フランジ部４４Ａｃにおける高さは、スリット４２ｅ１の上下幅より僅かに小さい寸法に設定されている。そして、棚状部材４４Ａは、その切欠き部４４Ａｄをスリット４２ｅ１に向けるようにして該スリット４２ｅ１に挿入され、その周縁フランジ部４４Ａｃにおいてスリット４２ｅ１の両端面に当接するようになっている。
【００６７】
棚状部材４４Ｂも、棚状部材４４Ａと同様、底面部４４Ｂｂと周縁フランジ部４４Ｂｃとからなり、底面部４４Ｂｂの上面の略全域において貯水用凹陥部４４Ｂａを形成している。
【００６８】
図５に示すように、各冷却ユニット４０は、平面視において、１対の棚状部材４４Ａと１対の棚状部材４４Ｂとで、支柱部材４２の平面投影面積よりも大きい正方形の輪郭形状を形成するように構成されている。その際、これら棚状部材４４Ａおよび棚状部材４４Ｂが、平面視において部分的に重複するサイズに形成されている。
【００６９】
次に本実施形態の作用について説明する。
【００７０】
本実施形態に係る冷却ユニット４０は、上面に貯水用凹陥部４２ａが形成された本体部分４２ｂおよび該本体部分４２ｂから下方へ突出する複数の支持脚部４２ｃからなる支柱部材４２と、この支柱部材４２の周面部の複数箇所において該支柱部材４２に支持されるとともに上面に貯水用凹陥部４４Ａａ、４４Ｂａが形成された複数の棚状部材４４Ａ、４４Ｂとからなっているので、これを屋上スラブ１０の上面に複数個配置することにより、次のような作用効果を得ることができる。
【００７１】
すなわち、各冷却ユニット４０の支柱部材４２には、その本体部分４２ｂから下方へ突出する複数の支持脚部４２ｃが形成されているので、支柱部材４２の本体部分４２ｂと屋上スラブ１０との間および棚状部材４４Ａ、４４Ｂと屋上スラブ１０との間に通風空間が形成されることとなる。このため、屋上スラブ１０への日照を遮った状態で通風による空冷作用で屋上スラブ１０を冷却することができる。
【００７２】
また、屋上スラブ１０に降水（降雨または散水）があると、各冷却ユニット４０の貯水用凹陥部４２ａ、４４Ａａ、４４Ｂａに水Ｗが溜まる。その後、日照等により貯水用凹陥部４２ａ、４４Ａａ、４４Ｂａに溜まった水Ｗが蒸発し、この蒸発の際の気化潜熱により屋上スラブ１０の上面近傍の空気が冷却される。この冷却された空気は相対的に重いので下降して上記通風空間に流れ込み、これにより屋上スラブ１０が一層効率的に冷却される。
【００７３】
その際、貯水用凹陥部４２ａ、４４Ａａ、４４Ｂａは、各冷却ユニット４０における支柱部材４２および複数の棚状部材４４Ａ、４４Ｂの各々に形成されているので、冷却効率を十分に高めることができる。
【００７４】
このように本実施形態に係る冷却ユニット４０は、遮光および通風による屋上スラブ１０の冷却作用を常に維持した上で、貯水用凹陥部４２ａ、４４Ａａ、４４Ｂａに水Ｗが溜まっている状態では、その気化潜熱により屋上スラブ１０の冷却作用を一層高めることができる。
【００７５】
したがって本実施形態によれば、屋上スラブ１０を効率的にかつ長時間にわたって安定的に冷却することができる。そしてこれにより、屋上スラブ１０の下方空間の冷却を十分に行うことができる。
【００７６】
特に本実施形態に係る冷却ユニット４０は、１対の棚状部材４４Ａと他の１対の棚状部材４４Ｂとが、互いに高さ違いでかつ平面視において部分的に重複するように配置されているので、各貯水用凹陥部４４Ａ、４４Ｂの開口面積を広く確保することができる。このため各貯水用凹陥部４４Ａ、４４Ｂに溜まった水Ｗの蒸発量を増大させることができ、これにより冷却効率を一層高めることができる。また、屋上スラブ１０への日照をより効果的に遮ることができるので、この点においても冷却効率を高めることができる。
【００７７】
また本実施形態に係る冷却ユニット４０は、各棚状部材４４Ａ、４４Ｂが支柱部材４２に対して着脱可能に支持されているので、これら棚状部材４４Ａ、４４Ｂのうち一部を適宜取り外すことにより、屋上スラブ１０の輪郭形状等に応じた冷却ユニット４０の配置を容易に実現することができる。また、既存の建物において、冷却ユニット４０を屋上等へ運搬する際、棚状部材４４Ａ、４４Ｂを適宜取り外すことにより、エレベータ等を利用した運搬を容易に行うことができる。
【００７８】
なお本実施形態に係る冷却ユニット４０においても、各貯水用凹陥部４４Ａ、４４Ｂに第１実施形態の保水性ブロック２４と同様の保水性ブロックが収容された構成とすることが可能である。このような構成を採用することにより、屋上スラブ１０の上面近傍の空気を一層効率的に冷却することが可能となる。
【００７９】
上記各実施形態においては、建物の屋上スラブ１０に設けられる冷却構造について説明したが、ルーフバルコニーや通常のバルコニーを構成するスラブ等についても、上記各実施形態と同様の冷却構造を採用することによりこれらと同様の作用効果を得ることができる。
【図面の簡単な説明】
【図１】本願発明の第１実施形態に係る冷却ユニットを分解して示す斜視図
【図２】上記冷却ユニットを備えた建物の冷却構造を示す側断面図
【図３】上記冷却構造を示す平面図
【図４】本願発明の第２実施形態に係る冷却ユニットを一部分解して示す斜視図
【図５】上記冷却ユニットを示す平面図
【図６】上記冷却ユニットの使用状態を示す斜視図
【図７】上記冷却ユニットを備えた建物の冷却構造を示す側断面図
【符号の説明】
１０  屋上スラブ（屋外スラブ）
２０  冷却ユニット
２２  容器
２２ａ  貯水用凹陥部
２２ｂ  本体部分
２２ｃ  支持脚部
２２ｄ  面取り部
２４  保水性ブロック
２６  隙間
２８  下方空間
３０  菱形隙間
４０  冷却ユニット
４２  支柱部材
４２ａ  貯水用凹陥部
４２ｂ  本体部分
４２ｃ  支持脚部
４２ｄ  周面部
４２ｅ１、４２ｅ２  スリット
４４Ａ、４４Ｂ  棚状部材
４４Ａａ、４４Ｂａ  貯水用凹陥部
４４Ａｂ、４４Ｂｂ  底面部
４４Ａｃ、４４Ｂｃ  周縁フランジ部
４４Ｂｄ  切欠き部
４６  隙間
４８  下方空間
Ｗ  貯留水
【図１】
0004435971.tif 000002
【図２】
0004435971.tif 000003
【図３】
0004435971.tif 000004
【図４】
0004435971.tif 000005
【図５】
0004435971.tif 000006
【図６】
0004435971.tif 000007
【図７】
0004435971.tif 000008